(57)【要約】【課題】安価な回路で過電流検知レベルを切り換えて設定可能とする空気調和機を実現すること。【解決手段】圧縮機温度検知手段１７で検知する温度によってインバータ１３の過電流検知レベルを切り換え、また過電流検知レベルに応じて圧縮機１２の回転数を制限することで、全運転範囲で過電流検知レベルを３相ＤＣブラシレスモータ１２ａの減磁電流とインバータ１３の最大電流との間に設定可能となり、インバータおよびモータの保護ができる。【選択図】図１
2005308233.tif 000002
【特許請求の範囲】
【請求項１】
３相ＤＣブラシレスモータを有する圧縮機と前記圧縮機を駆動するインバータと前記インバータの過電流を検知する過電流検知回路と前記過電流検知回路の検知レベルを切り換える検知レベル切換回路を有した空気調和機。
【請求項２】
圧縮機温度検知手段を有し、前記圧縮機の温度に応じて前記検知レベル切換回路のレベルを切り換える請求項１記載の空気調和機。
【請求項３】
前記圧縮機駆動後、所定時間が経過した後に前記検知レベル切換回路のレベルを切り換える請求項１記載の空気調和機。
【請求項４】
前記検知レベル切換回路のレベルに応じて前記圧縮機の回転数を制限する回転数制限手段を有した請求項１〜３記載の空気調和機。
【請求項５】
圧縮機が１ピストンロータリー式である請求項１〜３記載の空気調和機。
【発明の詳細な説明】
【技術分野】
【０００１】
本発明は３相ＤＣブラシレスモータを有する圧縮機を駆動するインバータの過電流を検知する過電流検知回路に特徴を有する空気調和機に関するものである。
【背景技術】
【０００２】
従来、インバータの過電流検知レベルは固定値で、インバータの最大電流値とモータの減磁電流値の間で設定されていた（特許文献１参照）。
【０００３】
図４は従来の空気調和機の回路ブロック図、図５はその圧縮機温度と各電流の特性図である。以下、図４、図５を用いて従来の過電流検知動作を説明する。
【０００４】
図４に示すように、直流電源１と、圧縮機２と、直流電源１を擬似三相交流に変換し圧縮機２を駆動するインバータ３と、インバータ３の過電流を検知する過電流検知回路４と、インバータ３を制御する制御回路５で構成していた。過電流検知回路４で検知する過電流検知レベルの設定は図５示すように、圧縮機２のモータ２ａの減磁電流とインバータ３の最大電流との間の一定値に設定していた。
【特許文献１】特開平８−２２３９３４号公報
【発明の開示】
【発明が解決しようとする課題】
【０００５】
しかしながら、近年１ピストンロータリー式の圧縮機の振動を抑制するために、トルクが大きな回転角では大きな電流を流して回転速度を一定にする制御（以降トルク制御と呼ぶ）や、モータの電流を正弦波状にして高回転時の進角を大きくする弱め界磁制御を開発してきているが、トルク制御等を用いた場合にインバータ３の最大電流とモータ２ａの減磁電流に差がなくなり過電流検知レベルが設定できなくなるという不具合が生じる恐れがあった。
【０００６】
本発明は前記従来の課題を解決するものであり、その目的とするところは安価な回路で過電流検知レベルを設定可能とする空気調和機を実現することにある。
【課題を解決するための手段】
【０００７】
前記従来の課題を解決するために、本発明の空気調和機は３相ＤＣブラシレスモータを有する圧縮機を駆動するインバータの過電流を検知する過電流検知回路と検知レベルを切り換える検知レベル切換回路を有することで減磁電流に応じた検知レベルを設定することが可能となる。
【０００８】
また、減磁電流はモータ温度と相関があるため、圧縮機温度で減磁電流の推定が可能となる。
【０００９】
同様に、圧縮機駆動後の時間を用いても圧縮機温度を間接的に推定可能である。
【００１０】
さらに、過電流検知レベルに応じて圧縮機の回転数を制限することで、過電流検知レベルに応じた圧縮機の駆動を可能としている。
【発明の効果】
【００１１】
本発明の空気調和機は検知レベルを切り換える検知レベル切換回路を有することで安価な過電流検知回路でインバータおよびモータの保護ができるものである。
【発明を実施するための最良の形態】
【００１２】
第１の発明は３相ＤＣブラシレスモータを有する圧縮機を駆動するインバータと、インバータの過電流を検知する過電流検知回路と、過電流検知回路の検知レベルを切り換える検知レベル切換回路を有することで減磁電流に応じた検知レベルに設定することが可能となる。
【００１３】
第２の発明は圧縮機温度検知手段を有することでモータの温度が推定でき、モータの温度に相関のある減磁電流を推定できるものである。
【００１４】
第３の発明は圧縮機駆動後、所定時間が経過した後に検知レベル切換回路のレベルを切り換えることで間接的に推定した減磁電流に応じた過電流検知レベルとすることができる。
【００１５】
第４の発明は検知レベル切換回路のレベルに応じて圧縮機の回転数を制限する回転数制限手段を有することで、過電流検知レベルに至らない最大回転数で圧縮機を駆動することができる。
【００１６】
第５の発明は圧縮機に１ピストンロータリー式を使用した場合に、第１〜３の発明の効果が最も発揮されるものである。
【００１７】
（実施の形態１）
図１は、本発明の実施の形態１における空気調和機の回路ブロック図を示すものである。
【００１８】
図１において、直流電源１１と、３相ＤＣブラシレスモータ１２ａを有する圧縮機１２（本実施の形態では1ピストンロータリー式）と、直流電源１１を三相擬似交流に変換し圧縮機１２を駆動するインバータ１３と、インバータ１３の過電流を検知する過電流検知回路１４と、インバータ１３を制御する制御回路１５と、過電流検知回路１４の過電流検知レベルを切り換える検知レベル切換回路１６と、圧縮機１２の温度を検知する圧縮機温度検知手段１７で構成していた。
【００１９】
以上のように構成された空気調和機について、以下その動作、作用を図２、３の特性図を用いて説明する。
【００２０】
図２に示すように、１ピストンロータリー式の圧縮機１２の振動を抑制するために、トルクが大きな回転角では大きな電流を流して回転速度を一定にするトルク制御運転領域では、インバータ１３に大きな電流が流れる（インバータ最大電流２）。また、トルク制御を用いない従来制御の通常運転領域ではインバータ１３に大きな電流は流れず起動時の電流以下となる（インバータ最大電流１）。図３に示すようにまず、圧縮機１２の起動時は過電流検知レベル１に設定する。その後、圧縮機温度検知手段１７で検知している温度が図３に示す切り換え温度に達したときに制御回路１５から検知レベル切換回路１６に信号を送り、過電流検知回路１４の過電流検知レベルを過電流検知レベル１から過電流検知レベル２に切り換える動作を行なっている。また、過電流検知レベルが過電流検知レベル１の時には図２に示す回転数制限１以下となるように圧縮機１２の回転数を制限し、過電流検知レベル２の時には圧縮機１２の回転数を制限しない制御を行なっている。
【００２１】
以上のように本実施の形態においては、圧縮機温度検知手段１７で検知する温度によってインバータ１３の過電流検知レベルを切り換え、また過電流検知レベル１の場合に圧縮機１２の回転数を制限することで、全運転範囲で過電流検知レベルを３相ＤＣブラシレス
モータ１２ａの減磁電流とインバータ１３の最大電流との間に設定できている。
【００２２】
尚、本実施の形態では過電流検知レベルの切り換えを圧縮機温度によって行なっているが、圧縮機温度と相関のある圧縮機の運転時間としても同様の効果が得られる。この場合は圧縮機温度検知手段が不要となるため、さらに安価な構成とすることができる。
【産業上の利用可能性】
【００２３】
以上のように、本発明にかかる空気調和機は、安価な過電流検知回路でインバータおよびモータの保護ができるもので、トルク制御や正弦波駆動を実施している圧縮機以外の３相ＤＣブラシレスモータにも有効である。
【図面の簡単な説明】
【００２４】
【図１】本発明の実施の形態１における空気調和機の回路ブロック図
【図２】本発明の実施の形態１における圧縮機回転数とインバータ最大電流の特性図
【図３】本発明の実施の形態１における圧縮機温度と各電流の特性図
【図４】従来の空気調和機の回路ブロック図
【図５】従来の圧縮機温度と各電流の特性図
【符号の説明】
【００２５】
１２  圧縮機
１２ａ  ３相ＤＣブラシレスモータ
１３  インバータ
１４  過電流検知回路
１５  制御回路
１６  検知レベル切換手段
１７  圧縮機温度検知手段
【図１】
2005308233.tif 000003
【図２】
2005308233.tif 000004
【図３】
2005308233.tif 000005
【図４】
2005308233.tif 000006
【図５】
2005308233.tif 000007